(57)【要約】【課題】脚体、背もたれ、座面、ひざ掛けとで構成する椅子の座面だけが緩やかにお尻の力で前後に揺らして心身に安らぎを与えてくれる椅子であること。【解決の手段】脚体１、背もたれ２、座面３、ひじ掛け４とからなる椅子において、座面３を対でなるひじ掛け４と座面３のそれぞれに設けた固定部４ａ、３ａを介して吊り具５を遊動自在に遊動係止部５ａに係合吊るし、此れらの座面３に腰掛けた利用者が座面３を緩やかに前後に揺すって気分転換に腰掛けたまま身体に揺すりを与える構成にする。【選択図】    図１
2006341042.tif 000002
【特許請求の範囲】
【請求項１】
脚体（１）、背もたれ（２）、座面（３）、ひじ掛け（４）とからなる椅子において座面（３）を対で成るひじ掛け（４）と座面（３）のそれぞれに設けた固定部（４ａ）（３ａ）を介して吊り具（５）を游動自在に遊動係止部（５ａ）に係合吊るし、此れらの座面（３）に腰掛けた利用者が座面（３）を緩やかに前後に揺すって気分転換に腰掛けたまま身体に揺すりを与えることが出来るようにしたことを特徴とするスイング椅子。
【請求項２】
前記する背もたれ（２）と座面（３）との双方を一体的に連結し、此れらが座面（３）の揺すりと同時に背もたれ（２）も遊動自在にしたことを特徴とする請求項１記載のスインング椅子。
【請求項３】
前記する座面（３）の前後の遊動をロックするための、ロック手段（Ａ）を座面（３）と脚体（１）の一部に具備し、非使用時は座面（３）の前後の遊動を固定し通常の椅子使用可能にしたことを特徴とする請求項１又は２記載のスイング椅子。
【請求項４】
前記するロック手段（Ａ）は、座面（３）を支える座部材（３ｂ）の前方での中央に位置し直立固定するロックパイプ（６）の端部に突き出し自在のストッパー（７）が、ロックパイプ（６）の内径に滑り係合し、該ストッパー（７）の先端（７ａ）が脚体補強材（１ａ）に開口するストッパー孔部（１ｂ）に差し込み自在で、座面（３）のロックとアンロックを可能なロック手段（Ａ）にしたことを特徴とする請求項４記載のスイング椅子。
【請求項５】
前記する脚体（１）が４本直立での脚体（１０１）構成椅子では、背もたれ（２）に隣接する２本の脚体（１０１）又は他の２本の脚体（１０１）の接地部に近傍してキャスター（９）を設け、これらのキャスター（９）の床面回動するローラー（９ａ）は、空席時にキャスター（９）に構成する圧縮コイルバネ（９ｂ）の弾発力で脚体（１０１）の接地部が床面より僅か浮き上がり、座面（３）に利用者が腰掛け、使用時に荷重（Ｃ）が圧縮コイルバネ（９ｂ）に押し圧が加わり、床面より浮上したキャスター（９）の脚体（１０１）が床面に接地し、ぐらつきのない脚体（１０１）構成にしたことを特徴とするスイング椅子。
【発明の詳細な説明】
【技術分野】
【０００１】此の発明はリビングやデスクワ−ク等で使うひじ掛け付きの椅子で其の椅子の座面に腰掛けたまま前後に揺する事の出来る椅子に関する。
【背景技術】
【０００２】此の種の従来の技術として古くからロッキングチェアと称する揺れ椅子が知られるが、接地する椅子の脚体は弓状に大きく湾曲し、此れらの２本の脚体に設けた座面に、利用者が腰掛け、双方のひじ掛けを握って、身体を前と後に揺らして身体の重心を移動させながら前後に湾曲する脚体が連動して、身体を揺ら揺らと前後倒しに揺らす構成である。【０００３】そして此れらの椅子は、背もたれは座面から後ろに大きく倒れて構成し、使用時は身体の重心が後ろに置かれ、揺らす事で大きく身体は後ろに倒れるため、脚体も座面より後方に出っ張って、オーバーランで後方にそっくりかえるのを防いで居る。
【発明の開示】
【発明が解決しようとする課題】
【０００４】しかしながら従来技術での此のたぐいの椅子は、仕事休みや余暇にゆったりとくつろぎに気分転換などに身体を揺らして前後にスイングする弓状に大きく湾曲する脚体のため、床面の設置スペースを広くとり、背もたれの前後の揺れが大きく、椅子は壁面から程々に離さないと思いがけず頭部を壁面に追突する等の課題がある。【０００５】此の様に、この類いの椅子は大形になり場所の移動に難があり且つデスクでのワークについては、椅子の床面との座りが不安定で書きものやパソコン操作に不向きである等の課題題が残り、通常のデスクワーク或いはリビングでテーブルに配置したままに、時に応じて疲れを癒すリラックスの出来る両用機能の小形軽量の椅子が有ればと強く望まれていた。
【課題を解決するための手段】
【０００６】この発明はかかる課題を解決するために、請求項１での発明は、図１で述べる様に脚体１背もたれ２、座面３、ひじ掛け４とからなる椅子で、座面３を対で成るひじ掛け４とから成る椅子において、座面３を対で成るひじ掛け４に設けた固定部４ａを介して吊り具５を前後に遊動自在に吊るし、此れらの座面３に腰掛けた利用者が、腰掛けたまま座面３を緩やかに前と後に揺すって気分転換に腰掛けたままに、身体に揺すりを与える構成である。【０００７】次に請求項２での発明は図２で述べる様に前記する背もたれ２と座面３との双方を一体的に連結し、此れらの座面３の揺すりと同時に背もたれ２も遊動自在にする構成である。【０００８】次に請求項３での発明は図３で述べるに、前記する座面３の前後の遊動をロックする為のロック手段Ａを座面３と脚体１の一部に具備し、非使用時は座面３の前後の遊動を固定し通状の椅子使用可能にした構成である。【０００９】更に次に請求項４での発明を前記する座面３の遊動のロック手段Ａに付いての具体例を前記請求項３と同じ図３にて述べる様に座面３を支える座部材３ｂの前方での中央に位置し、直立固定するロックパイプ６の端部に突き出し自在のストッパー７が、ロックパイプ６の内径に滑り係合し、該ストッパー７の先端７ａが、脚体補強材１ａに開口するストッパー孔部１ｂに差し込み自在で、座面３のロックとアンロックを可能にしたロック手段Ａに構成する。【００１０】次に請求項５での発明は図４で述べる様に、前記する脚体１が４本直立での脚体１０１構成椅子では、背もたれ２に隣接する２本の脚体１０１又は他の２本の脚体１０１の接地部に近傍してキャスター９を設け、これらのキャスター９の床面回動するローラー９ａは、空席時にキャスター９に構成する圧縮コイルバネ９ａの弾発力で脚体１０１の接地部が床面より僅か浮き上がり、座面３に利用者が腰掛け、使用時に荷重Ｃが圧縮コイルバネ９ａに押し圧が加わり、縮小し床面より浮上したキャスター９の脚体１０１が床面に接地し、ぐらつきのない脚体１０１構成にした。
【発明の効果】
【００１１】本発明は、上述の通り構成作用するので次の優れた効果を奏する。即ち、第一実施例で述べるように、リビングやデスクワーク等で、配置したスイング椅子の座面に腰掛けたままテーブルから離れることなく、休息をとるのにひじ掛けに手をやり、軽く尻を前と後に動かすだけで、ひじ掛けに遊動自在に吊るした座面が、お尻の力加減に合わせて身体を揺すり気分転換の出来るスイング椅子を提供することが出来る。【００１２】また第二実施例で述べるように、背中を座面と一体化する背もたれに、もたれながら両足を延ばし、身体を緩やかに前と後ろに遊動しながら気分転換の出来るスイング椅子を提供出来る。【００１３】次にまた第三、第四実施例で述べるように、座面の遊動を固定したい時には、腰掛けたままに座面の下に設けたロック装置を片手で操作し極簡単に固定が出来、通常の椅子同等のスイング椅子を提供出来る。【００１４】そしてまた第五実施例で述べるように、座面からお尻をはずし座面から身体を離れた時のみ脚体に設けたキャスターが床面を転がるので、気軽に楽々椅子を持ち上げずに移動の出来るスイング椅子を提供出来る。
【発明を実施するための最良の形態】
【００１５】以下に図示の実施例に基づいて、本発明を更に詳細に説明する。図１は本発明に基づく第一実施例での全体を示す斜視図で、椅子本体の一部である脚体１は金属パイプでの対で床面に安定的にぐらつかない構成で、此れらは背もたれ２とひじ掛け４とに一体的に固定され、腰をかけるための座面３のみが個別に、対でなるひじ掛け４に宙ブラに吊るされるが、椅子本体要部の素材は金属パイプに特定するものでなく、木材或いは合成樹脂製などの素材にすることも良く或いは外観形態のデッサンも、本発明は特定するものでない。【００１６】対でなるひじ掛け４に吊るされる座面３は前後に遊動自在にするため、金属棒状加工での吊り具５を使い、左右のそれぞれのひじ掛け４に２本一組での吊り具５とするが、吊り具５の両サイドは、双方部材の固定部３ａ（４ａ）に遊合することで行われるが、吊り具５の材質に特定するものでなく、繊維或いは木材などでの選択が残され、吊り具５のひじ掛け４の固定部３ａや座面３との固定部４ａの構成についても、他の方法でも成り立つ事が出来る。【００１７】此のように、第一実施例での発明は座面３に利用者が腰掛け、床面に両足をつけて揺らし前後に身体を揺らしたり、ひじ掛け４を両手で握りお尻を前後に揺らすなどし、身体が自然体に、ブランコ類いに揺らすなどで気楽にテイブルやデスクに向かいながらリラックスの出来る構成である。【００１８】次に第２図で第二実施例の全体を示す斜視図で、前記する遊動自在な座面３を背もたれ２と一体構成にし、双方が同時に遊動自在に構成するもので、座面３に腰掛け背もたれ２に身体をゆったり持たせながら、前後に座面３を揺すって身体全体を揺ら揺らゆするスイング椅子にしたもので、図２で示すように座面３を前方の矢印Ａ方向に揺らすことで、背もたれ２は身体が後方の矢印Ａ方向に傾き、座面３を後方の矢印Ｂ方向に揺らすことで、背もたれ２は身体を前方の矢印Ｂ方向に揺らしながら、座面３共に前後に移動する。【００１９】次に第３図で第三と第四実施例の要部を示す部分斜視図で、前記する座面３の前後遊動と座面３に一体化して遊動する背もたれ２との、２方法での前後に遊動する座面３を安定に正常位置に固定するロック手段Ａを具備することで、此れらのロックによって通常椅子での床面に安定的に配置出来る事で、テイブルやデスクワークでの椅子と両用機能を具現化する構成で、此れらのロック手段Ａにて座面３のアンロックとロック操作を可能にする。【００２０】上記する座面３の前後遊動のロック手段Ａの構成での最適実施例として、第３図で示すように、座面３を支える座部材３ｂの前方での中央に位置して、直立するロックパイプ６の端部に突き出し自在のストッパー７が、ロックパイプ６の内径に滑り係合し、該ストッパー７の先端７ａが、脚体補強材１ａに開口するストッパー孔部１ｂに差し込み自在で、座面３のロックとアンロックをストッパー７に直立に打ち込まれた摘まみ８の芯径８ａにてロックパイプ６の外周に切り込んだロックスリット６ｃに具備する止め逃げ部６ａと其れに並ぶ解除逃げ部６ｂとの凹状にそれぞれ係合することでストッパー端部７ａが、ストッパー孔部に出入れする事で具現化する事が出来る構成である。【００２１】即ち、座面３の前後の動きを阻害しないスペースを設けて座部材３ｂに並列して脚体１に固定する脚体補強材１ａとの双方に合間って機能するが、利用者が摘まみ８を摘まんで矢印ａ方向に回動し、ロックパイプ６の止め逃げ部６ａから解除して矢印ｂ方向に持ち上げストッパー７の先端７ａを脚体補強材１ａに開口するストッパー孔部１ｂからロックスリットに外し、摘まみ８を解除逃げ部６ｂに矢印ａ逆方向に回動し差し込む事で、座面３はロックが解除し自在に遊動する。このように摘まみ８を摘まんで上下に操作する事でロッックとアンロック可能にしている。【００２２】次に図４で第五実施例での一部省略での全体斜視図で、前記する座面３の前後に遊動する椅子での脚体１が４本構成する脚体１０１では、背もたれ２に隣接する２本の脚体１０１又は他の２本の脚体１０１の設置部に近傍してキャスター９を設け、これらのキャスター９の床面回動するローラー９ａは、空席時にキャスター９に構成する圧縮コイルバネ９ａの弾発力で脚体１０１の接地部が床面より僅か浮き上がり、座面３に利用者が腰掛け、使用時に荷重Ｃが圧縮コイルバネ９ａに押し圧が加わり、床面より浮上したキャスター９の脚体１０１が床面に接地し、ぐらつきのない脚体１０１構成である。【００２３】此のように、椅子の移動が容易で、ベンチワークやテーブルを囲んで一家だんらんのリビングにいながらにして、腰掛けたままの姿勢で、時に応じ座面１を前後に揺すって、リラックスが出来、心身を手軽に癒す事の出来る最適なスイング椅子を具現化する構成である。
【図面の簡単な説明】
【００２４】
【図１】第一実施例での本発明に係わる全体斜視図である。
【図２】第二実施例での本発明に係わる全体斜視図である。
【図３】第三実施例と第四実施例での本発明に係わる要部斜視図である。
【図４】第五実施例での本発明に係わる一部省略での全体斜視図である。
【符号の説明】
【００２５】１、（１０１）脚体１ａ          脚体補強材１ｂ          ストッパー孔部２            背もたれ３            座面３ａ、（４ａ）固定部３ｂ          座部材４            ひじ掛け５            吊り具５ａ          遊動係止部６            ロックパイプ６ａ          止め逃げ部６ｂ          解除逃げ部６ｃ          ロックスリット７            ストッパー７ａ          先端８            摘まみ９            キャスター９ａ          ローラー９ｂ          圧縮コイルバネ
【図１】
2006341042.tif 000003
【図２】
2006341042.tif 000004
【図３】
2006341042.tif 000005
【図４】
2006341042.tif 000006